(57)【要約】【課題】写真領域を十分確保した上でサービス印刷による恩恵を利用者に与え、利用者にお得感を与えて満足度を向上させることを目的とする。【解決手段】一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を印刷手段で印刷媒体に印刷する写真シール自動作成方法又はその装置に対して、前記印刷媒体を少なくとも二層以上の印刷層を備えた多層構造に形成し、該印刷層の少なくとも一層に前記所定の画像を印刷し、他の印刷層はサービス層として利用するように設定した。【選択図】　　図７
2004093997.tif 000002
【特許請求の範囲】
【請求項１】
一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、
所定の画像を印刷手段で印刷媒体に印刷する写真シール自動作成方法であって、前記印刷媒体を少なくとも二層以上の印刷層を備えた多層構造に形成し、
該印刷層の少なくとも一層には前記所定の画像を印刷し、
他の印刷層はサービス層として利用する
写真シール自動作成方法。
【請求項２】
前記サービス層には予め所定の印刷を施しておき、
前記所定の画像を印刷する一層を最上層に設定する
請求項１記載の写真シール自動作成方法。
【請求項３】
前記サービス層は変色手段で発色変化させて印刷し、
前記所定の画像を印刷する一層を最上層に設定する
請求項１記載の写真シール自動作成方法。
【請求項４】
一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、
所定の画像を印刷手段で印刷媒体に印刷する写真シール自動作成装置であって、前記印刷媒体を少なくとも二層以上の印刷層を備えた多層構造に形成し、
該印刷層の少なくとも一層に前記所定の画像を印刷し、
他の印刷層はサービス層として利用するように設定した
写真シール自動作成装置。
【請求項５】
前記サービス層には予め印刷を施しておき、
前記所定の画像を印刷する一層を最上層に設定した
請求項４記載の写真シール自動作成装置。
【請求項６】
前記サービス層を発色変化させて印刷する変色手段を備え、
前記所定の画像を印刷する一層を最上層に設定した
請求項４記載の写真シール自動作成装置。
【請求項７】
所定の画像の印刷を許容する印刷媒体であって、
二層以上の印刷層を備えた多層構造に形成し、
前記所定の画像を該印刷層の少なくとも一層に印刷可能に設定し、
他の印刷層はサービス層として利用可能に形成した
印刷媒体。
【請求項８】
請求項７記載の印刷媒体と、
該印刷媒体の真偽を識別させる識別体を備え、
請求項１から６のいずれか１つに記載の写真シール自動作成方法又は前記写真シール自動作成装置に備えられた識別手段で、前記識別体が識別されて前記所定の画像が印刷される
印刷媒体ユニット。
【発明の詳細な説明】
【０００１】
【発明の属する技術分野】
この発明は、例えばゲームセンター等のアミューズメント施設に設置し、利用者を撮像してその撮像画像に落書き編集することを許容し、編集後の編集画像を印刷して写真シールシートを作成するような、写真シール自動作成方法とその装置、及び印刷媒体に関する。
【０００２】
【従来の技術】
従来、被写体の撮像画像を編集した編集画像をシール紙に印刷して写真シールシートを作成する写真シール自動作成装置が提供されている。該写真シール自動作成装置では、白紙のシール紙に撮像画像や編集画像の写真印刷を行うものが主流であり、利用者は印刷された自分の画像を含む写真シールをハサミ等で切り取り、好みの場所やノートに貼り付ける、あるいは友人と写真シール交換するといったように利用している。
【０００３】
このような写真シール自動作成装置では、写真シールシートに余白が発生するが、この余白を有効に使う方法として、写真感光部以外の表裏余白部に印刷を施した写真シール紙が提案されている（特許文献１参照）。
【０００４】
【特許文献１】
実用新案登録第３０５２７３３号公報。
【０００５】
【発明が解決しようとする課題】
しかし、余白を有効活用していても、利用者にとっては余白部に施された印刷（サービス印刷）によって自分の写真領域が狭くなっているように感じられ、かえって利用者に不満を与える結果となっていた。
【０００６】
また、あくまでもシール紙の表面に印刷を施すという思想から脱却しておらず、利用者に与えるインパクトが弱く新しいアミューズメント性を提供するようなものでもなかった。
【０００７】
この発明は、上述の問題に鑑みて、写真領域を十分確保した上でサービス印刷による恩恵を利用者に与え、利用者にお得感を与えて満足度を向上させることを目的とする。
【０００８】
【課題を解決するための手段】
この発明は、一以上の被写体を撮像手段で撮像して撮像画像を作成する撮像処理を許容し、該撮像画像、又は／及び他の取得手段で取得の取得画像等の編集対象画像を、利用者が編集手段で編集して編集画像を作成する編集処理を許容し、所定の画像を印刷手段で印刷媒体に印刷する写真シール自動作成方法又はその装置であって、前記印刷媒体を少なくとも二層以上の印刷層を備えた多層構造に形成し、該印刷層の少なくとも一層には前記所定の画像を印刷し、他の印刷層はサービス層として利用する写真シール自動作成方法又はその装置であることを特徴とする。
【０００９】
前記撮像手段は、デジタルカメラ又はデジタルビデオカメラで構成することを含む。
前記編集手段は、利用者にタッチペン又は指でタッチされた座標を取得するタッチパネルやマウス等のポインティングデバイスで構成することを含む。
【００１０】
前記他の取得手段は、通信手段又は記憶媒体読取手段等のデータ取込手段、写真や絵画等の実画像をスキャニングするスキャナで構成することを含む。
前記取得画像は、前記撮像画像のほか、通信手段又は記憶媒体読取手段等のデータ取込手段で取得する画像、すなわち個人用デジタルカメラでの撮像やパソコンでのグラフィック制作等によるデジタル画像や、写真や絵画等の実画像をスキャナでスキャニングしたスキャニング画像で構成することを含む。
【００１１】
前記所定の画像は、前記撮像画像、前記デジタル画像、又は前記スキャニング画像等の編集前の画像、又はこれら編集前の画像を利用者に編集手段で編集された編集画像、又は、前記編集前の画像又は／及び前記編集画像から選択された複数の画像で構成することを含む。
【００１２】
前記印刷手段は、モノトーンプリンタ、セピア（ｓｅｐｉａ）トーンプリンタ又はカラープリンタ等画像を印刷する印刷装置で構成することを含む。
前記印刷媒体は、印刷可能で粘着層を備えたシール紙（シール媒体）等、貼付可能媒体で構成することを含む。
【００１３】
前記印刷層の一層は、印刷可能な層で構成することを含む。
前記サービス層は、印刷可能な層又は／及び印刷済みの層で構成することを含む。
【００１４】
好ましい実施の形態として、前記サービス層には予め所定の印刷を施しておき、前記所定の画像を印刷する一層を最上層に設定することができる。
【００１５】
前記予め印刷を施したサービス層、すなわち印刷済みの層は、パーツアイテム（眉毛や眼がね等）や単体アイテム（イチゴやハートマーク等）等のアイテムが印刷されて貼付可能なシール層、特典情報（あたり／はずれや割引案内等）や広告情報（新機種案内や飲食店案内等）等の情報を印刷して貼付不可能な情報印刷済層、又はこれらの層の組み合わせで構成することを含む。
【００１６】
また好ましい実施の形態として、前記サービス層は変色手段で発色変化させて印刷し、前記所定の画像を印刷する一層を最上層に設定することができる。
【００１７】
前記発色変化させて印刷するサービス層、すなわち印刷可能な層は、加熱によって発色する感熱紙（例えば熱応答性マイクロカプセル方式によるフルカラー感熱紙等）、加圧によって発色する感圧紙等、自身が発色変化するシート部材で構成することを含む。
【００１８】
またこの発明は、所定の画像の印刷を許容する印刷媒体であって、二層以上の印刷層を備えた多層構造に形成し、前記所定の画像を該印刷層の少なくとも一層に印刷可能に設定し、他の印刷層はサービス層として利用可能に形成した印刷媒体とすることができる。
【００１９】
またこの発明は、前記印刷媒体と、該印刷媒体の真偽を識別させる識別体を備え、前記写真シール自動作成方法又は前記写真シール自動作成装置に備えられた識別手段で、前記識別体が識別されて前記所定の画像が印刷される印刷媒体ユニットとすることができる。
【００２０】
前記識別体は、非接触でデータを読書きするＩＤタグ、情報を記録したバーコード又はＩＣカード、又は、特定形状に形成した印刷媒体ユニットのユニット形状であることを含む。
【００２１】
前記識別手段は、ＩＤタグに記憶のデータを読取るＩＤタグリーダ、バーコードを読取るバーコードスキャナ、ＩＣカードに記憶のデータを読取るＩＣカードリーダ、特定形状に形成した印刷媒体ユニットのユニット形状と嵌合する嵌合部であることを含む。
前記印刷媒体ユニットは、識別体と印刷媒体とを一体にして構成する、あるいは前記識別体と印刷媒体とを別体にして構成することを含む。
【００２２】
【発明の効果】
この発明により、多層に印刷を施した印刷媒体を提供することができ、利用者の満足度を向上させることができる。従来の余白に印刷を施しておく方法では、写真印刷面が少ないと利用者に感じさせていたが、例えば一層はすべて写真印刷面として使用し他層に印刷を施しておくといったことで、利用者の不満を払拭して逆にお得感を与えることができる。
【００２３】
また、最上層を剥がすと次の層にまた印刷があるという面白さを演出でき、次の層を見たいがために早く最上層等を使い切ることとなり、利用の促進を促して写真シール自動作成機業界を活性化させることができる。
【００２４】
【発明の実施の形態】
この発明の一実施形態を以下図面と共に説明する。
まず、図１に示す正面右上から見た斜視図と共に、写真シール自動作成機１の外観について説明する。
【００２５】
写真シール自動作成機１は、ボックス状の枠体３で囲繞した撮像空間５の正面奥側に筐体４を備えており、前記枠体３の上辺からは側面及び正面にカーテン２（右側面は図示省略）を吊るして撮像空間５を外界から隔離している。
【００２６】
前記筐体４には、正面中央に前下がりの傾斜部を形成して該傾斜部にモニタ１４を備える。該モニタ１４には、タッチパネル１５ａを重ねて設け、その左右に備えたタッチペン１５ｂ，１５ｂで該タッチパネル１５ａをタッチさせて、利用者の入力を許容する。
【００２７】
前記傾斜部の上方には、中央にデジタルカメラ１２を備え、該デジタルカメラの左右にストロボ発光する照明装置１３，１３を配設する。なお、該照明装置１３は、ボックス状に形成して正面を白色半透明の拡散板で形成し、他の面を白色塗装した反射板で形成する。これにより、ストロボ発光体で奥側に向かって照射する照射光を前記反射板で反射し、その反射光を拡散板で拡散して主に被写体を略均一に照明する。
【００２８】
前記傾斜部の下方正面には、硬貨の投入を許容する貨幣投入口１６ａを備え、筐体４の右側面下部には、作成した写真シールシートを排出する写真シール排出口１８ａを備える。
【００２９】
該写真シール排出口１８ａの内部には、図２の部分拡大図（一部断面図）に示すように、パーソナルコンピュータで構成した制御装置１１とその上方に設置したプリンタ１８を備える。
該プリンタ１８は、インクジェットプリンタで構成し、シール紙ユニット３０の最上層である印刷可能シール層３２ａ（後述）に写真印刷等の印刷を行う。また、シール紙ユニット３０をセット可能（着脱可能）に形成しており、背面側にＩＤタグリーダ／ライタ１７を備える。
【００３０】
前記シール紙ユニット３０は、ロール状のシール紙３２とその側面に備えたＩＤタグ３１で構成し、該ＩＤタグ３１は前記ＩＤタグリーダ／ライタ１７によるデータの読書きを許容する。なお、前記プリンタ１８でシール紙３２に画像が印刷されて作成された写真シールシート３３は、前記写真シール排出口１８ａから排出する。
【００３１】
前記シール紙３２は、図３の（Ａ）の断面図に示すように、印刷可能シール層３２ａと該印刷可能シール層３２ａの裏面に接着した粘着層３２ｂ、印刷済シール層３２ｃと該印刷済シール層３２ｃの裏面に接着した粘着層３２ｄ、及び台紙層３２ｅを、この順に上から張り合わせて形成する。
【００３２】
前記印刷可能シール層３２ａは、前記プリンタ１８での印刷が可能な印刷可能層であり、表面を白色の平滑面で形成する。該印刷可能シール層３２ａは、後述の写真印刷が施され、該写真印刷部が利用者にハサミ等で切り取られて写真シール３４（後述の図７参照）を形成する
前記印刷済シール層３２ｃは、透明のシート部材で形成し、シール紙３２の製造工程で予め表面に眼がね、リボン、ハートマーク等の貼付用アイテム画像（後述のアイテム画像部３５ａ）を印刷しておく。該印刷済シール層３２ｃは、前記貼付用アイテム画像が利用者にハサミ等で切り取られることで、アイテムシール３５（後述の図７参照）を形成する。
【００３３】
なお、該シール紙３２は、図３の（Ｂ）の断面図に示すように、粘着層３２ｂ及び粘着層３２ｄを一回り小さく構成し、印刷可能シール層３２ａと印刷済シール層３２ｃの縁に非粘着部３２ｆを形成しても良い。この場合は、利用者が非粘着部３２ｆを指で掴むことで、印刷可能シール層３２ａを印刷済シール層３２ｃから剥がすこと、及び印刷済シール層３２ｃを台紙層３２ｅから剥がすことが容易になり、利便性が向上する。
【００３４】
以上の構成により、照明装置１３の照明光を得てデジタルカメラ１２で被写体を撮像した撮像画像に対し、タッチパネル１５ａがタッチペン１５ｂでタッチされて前記撮像画像に落書き編集された編集画像を作成し、該編集画像を多層構造のシール紙３２の印刷可能シール層３２ａに印刷することができる。
【００３５】
次に、図４に示すブロック図と共に、写真シール自動作成機１の制御回路の構造について説明する。
制御装置１１は、ＣＰＵ，ＲＯＭ，及びＲＡＭを内蔵して各装置の制御を実行し、該制御装置１１に接続して以下の各装置を備える。
【００３６】
デジタルカメラ１２は、制御装置１１からのシャッタ信号を受けて撮像を実行し、該撮像による撮像画像を静止画データで、また撮像前のプレビュー画像を動画データで、それぞれ画像データとして制御装置１１に送信する。
照明装置１３は、制御装置１１からの照明制御信号に従ってストロボ発光を実行し、撮像時に被写体を略均一に照明する。なお、該照明装置１３は、ストロボ照明に加えて蛍光灯照明装置又は／及び白熱灯照明装置を追加しても良く、またストロボ照明に替えて蛍光灯照明装置又は／及び白熱灯照明装置を備えても良い。
【００３７】
モニタ１４は、制御装置１１からのＲＧＢ信号に従って、プレビュー、撮像画像、画像編集時のペンツールやスタンプルール等のアイテム画像等、必要な画像を表示する。
【００３８】
入力装置１５は、前述のタッチペン１５ｂ（図１）とタッチパネル１５ａで構成し、利用者にタッチペン１５ｂでタッチされた座標を入力信号として制御装置１１に送信する。
【００３９】
貨幣処理装置１６は、前述の貨幣投入口１６ａ（図１）の内部に位置して設けており、該貨幣投入口１６ａから投入された硬貨の真偽判別及び金種判別を実行する。該真偽判別及び金種判別が正であれば、プレイを開始する起動信号を制御装置１１に送信する。
【００４０】
ＩＤタグリーダ／ライタ１７は、制御装置１１の更新信号に従ってシール紙ユニット３０のＩＤタグ３１に印刷残回数などの設定データを記憶させ、読出信号として前記ＩＤタグ３１に記憶のＩＤナンバーや印刷残回数などの設定データを制御装置１１に送信する。
【００４１】
プリンタ１８は、制御装置１１からプリント画像データを受信し、該プリント画像をシール紙３２の印刷可能シール層３２ａに写真印刷して写真シールシート３３を作成し、排出する。ここで写真印刷とは、被写体の撮像画像や編集画像を写真のように美しく印刷することを指し、この写真印刷を行った写真シール３４が利用者の直接的な目的物（取得対象物）となる。
【００４２】
以上の構造により、プリンタ１８でシール紙３２の印刷可能シール層３２ａに写真印刷を施し、写真シール３４（後述の図７参照）を提供することができる。
【００４３】
次に、図５に示す処理フロー図と共に、写真シール自動作成機１の動作について説明する。
利用者によって貨幣投入口１６ａ（図１）に硬貨（コイン）が投入されると、貨幣処理装置１６（図４）が制御装置１１に起動信号を送信してプレイを開始する（ステップｎ１）。
【００４４】
制御装置１１は、デジタルカメラ１２で撮影している動画をモニタ１４にプレビュー表示し、カウントダウンを行ってデジタルカメラ１２による撮像を実行する（ステップｎ２）。なお、該撮像の時と同期をとって照明装置１３を発光させ、略均一照明を得た撮像を実行する。また撮像は複数回実行し、複数の撮像画像を作成する。
【００４５】
前記撮像処理が終了すると、制御装置１１は撮像画像に落書き編集を許容する落書き編集処理を実行する（ステップｎ３）。該落書き編集処理では、縁どりペンやらめペン等のペンツール、及び、さくらんぼや犬等の画像をスタンプのように書込めるスタンプツール等の落書きツールを表示し、利用者に選択された撮像画像に対して落書きツールを利用した落書き編集を許容する。
【００４６】
前記落書き編集処理が終了すると、制御装置１１は落書き編集画像をプリンタ１８でシール紙３２の印刷可能シール層３２ａに印刷し（ステップｎ４）、完成した写真シールシート３３（図２）を出力し（ステップｎ５）、プレイを終了する。
【００４７】
以上のようにして完成した写真シールシート３３は、図６に示すように多層に印刷された多層構造となる。すなわち、印刷可能シール層３２ａの一部（図示では右下の一枚）を写真シール３４として剥がすと、印刷済シール層３２ｃが現れる。該印刷済シール層３２ｃは、各アイテム画像部３５ａを切り取ることでアイテムシール３５として利用できる。
【００４８】
このようにして作成した写真シール３４及びアイテムシール３５は、図７の使用説明図に示すようにして利用することができる。
すなわち、図６で剥がした写真シール３４を、図７の（Ｄ）に示すように目的の場所に貼り付け、図７の（Ｃ）から切り取ったアイテムシール３５を、（Ｄ）に示すように写真シール３４の上に貼り付けて利用する。このとき、写真シール３４の上に貼り付けたアイテムシール３５は、印刷部以外が透明であるため、アイテム画像部３５ａより大きめに切り取っても、（Ｄ）に陰線で示すアイテムシール３５の切取線は目立たない。
【００４９】
この利用形態により、例えば撮像時にいなかった友人が写真シール３４にアイテムシール３５を貼り付けて編集加工する等、後加工を行う楽しさを提供することができる。
【００５０】
また、アイテムシール３５のみを目的の場所に貼り付けて利用することもできるため、例えば余ったアイテムシール３５で手紙を贈る際の便箋に封をする等、気軽に他の用途に使用することもできる。これにより、よりお得感を利用者に付与することができる。
【００５１】
また、写真シール３４を剥がすまでアイテムシール３５は確認できないため、写真シール３４を剥がしたときの意外性により、利用者の期待感を増加させることができる
また、アイテム画像部３５ａを機種や期間によって替えていけば、写真シール３４を剥がす楽しみを増大することができ、アイテムシール３５という付加価値によって新アイテム登場といったように流行を演出することができる。これにより、アイテムシール３５をコレクションするといった新感覚の遊びを追加し、コレクター意識を刺激して売上増加を図ることができる。
【００５２】
また、シール紙３２の１ロール内でアイテム画像部３５ａを変化させておけば、利用者はプレイ毎に異なるアイテムシール３５を得ることができ、これによってコレクター意識を刺激することもできる。
【００５３】
なお、以上の実施形態において、印刷済シール層３２ｃ及び粘着層３２ｄを備えず、台紙層３２ｅに予め印刷を施しておいても良い。この場合は、あたり／はずれや景品プレゼント等の特典情報を印刷しておく、あるいは新機種や姉妹機種の案内等の広告情報を印刷しておくといったことができる。あたりの場合は無料プレイをサービスする、あるいは景品との交換をサービスするといったように設定しておくと良い。
【００５４】
これにより、利用者は写真シール３４を使用すると何らかの情報が現れるという楽しみを得ることができ、これを見たいがために写真シール３４を剥がして利用を促進することも可能となる。なお、印刷しておく情報としては、例えばホームページのＵＲＬを記載しておき、該ホームページにアクセスすればプレゼント情報や抽選応募等の特典を得られるように設定しておいても良い。
【００５５】
また、最上層に位置する印刷可能シール層３２ａに印刷することで、シール紙３２をセットすれば従来の写真シール自動作成機が使用でき、特別な装置を必要とせずコストダウンを図ることができる。すなわち、シール紙３２によって多層印刷を実現することができる。
【００５６】
また、アイテム画像部３５ａをアイテムシール３５として切り取りやすいように、印刷済シール層３２ｃに予め切り取り線を入れておいても良い。これにより、利用者の利便性を向上することができる。
【００５７】
次に、他の実施形態として、印刷済シール層３２ｃを発色可能シール層３２ｇで構成した場合について、図８に示す説明図と共に説明する。
この実施形態では、プリンタ１８（図２）を単なるインクジェットプリンタではなく、図８の（Ｅ）の斜視図に示すように、インクジェット印刷用のインクヘッド１８ｂと、感熱紙を発色させる熱ヘッド１８ｃとを備えて形成する。
【００５８】
前記インクヘッド１８ｂは、インクを噴射してカラー印刷を実行し、前記熱ヘッド１８ｃは、感熱紙で形成した発色可能シール層３２ｇに熱を加えてカラー発色させる。
【００５９】
制御装置１１からプリンタ１８がプリント画像データを受信すると、（Ｆ）に示すようにまず熱ヘッド１８ｃで発色可能シール層３２ｇに印刷可能シール層３２ａ越しに熱を与え、発色可能シール層３２ｇをカラー発色させてアイテム画像を印刷する。
【００６０】
該印刷が進行していき、インクヘッド１８ｂにシール紙３２が差し掛かると、（Ｇ）に示すようにインクヘッド１８ｂで印刷可能シール層３２ａにインクを噴射し、写真印刷を実行する。
【００６１】
このように熱ヘッド１８ｃでの印刷とインクヘッド１８ｂでの印刷を少しずらして開始し、途中から双方同時に印刷処理を行うことで、インクヘッド１８ｂと熱ヘッド１８ｃとが互いに悪影響を与えない間隔を確保し、かつ高速に印刷を完了するように構成している。
【００６２】
その他の構成及び動作は先の実施形態と同一であるため、同一符号を付して詳細な説明を省略する。
【００６３】
以上の構成及び動作により、例えば印刷可能シール層３２ａ及び発色可能シール層３２ｇの２層に渡って写真印刷（撮像画像、編集画像、アイドル画像、またはこれらの画像組み合わせの印刷）を行うことも可能となる。これにより、利用者に提供可能な画像（写真印刷画像やアイテム画像等）を増加させることができ、利用者の満足度を向上させることができる。また印刷の自由度を増加させると共にお得感を付与し、利用者の満足度を向上させることもできる。
【００６４】
また、アイテムシール３５として利用するために発色可能シール層３２ｇに印刷されるアイテム画像は、予め決められたものに限らず、利用者が選択したアイテム画像、あるいは利用者がペンツール等で作成したアイテム画像とすることも可能となり、アミューズメント性が向上する。
【００６５】
なお、以上に説明した他の実施形態において、熱ヘッド１８ｃで熱を発生させる代わりに、Ｘ線をシール紙３２の少なくとも発色可能シール層３２ｇに照射し、これに感光させて発色可能シール層３２ｇが発色するように構成しても良い。
【００６６】
また、上述の各実施形態において、印刷可能シール層３２ａは白色に限らず、透明等他の色で形成しても良い。
【００６７】
また、印刷済シール層３２ｃと粘着層３２ｄ、又は発色可能シール層３２ｇと粘着層３２ｄは、１段に限らず複数段に構成し、印刷可能な層又は印刷済みの層を増加した構成としても良い。
【００６８】
また、制御装置１１に接続してモデム又はＬＡＮボード等の通信装置を備え、インターネット等の回線を通じて外部から画像を取得可能に構成しても良い。この場合は、通信によって取得した受信画像を、デジタルカメラ１２で撮像した撮像画像の替わりに、あるいは該撮像画像と共に、落書き編集処理で落書きして印刷できるように構成すると良い。
【００６９】
この発明の構成と、上述の実施形態との対応において、
この発明の撮像手段は、実施形態のデジタルカメラ１２に対応し、
以下同様に、
編集手段は、入力装置１５に対応し、
識別手段は、ＩＤタグリーダ／ライタ１７に対応し、
印刷手段は、プリンタ１８に対応し、
変色手段は、熱ヘッド１８ｃに対応し、
印刷媒体ユニットは、シール紙ユニット３０に対応し、
識別体は、ＩＤタグ３１に対応し、
印刷媒体は、シール紙３２に対応し、
印刷層は、印刷可能シール層３２ａ、印刷済シール層３２ｃ及び発色可能シール層３２ｇに対応し、
一層及び最上層は、印刷可能シール層３２ａに対応し、
サービス層は、印刷済シール層３２ｃ及び発色可能シール層３２ｇに対応するも、
この発明は、上述の実施形態の構成のみに限定されるものではなく、多くの実施の形態を得ることができる。
【図面の簡単な説明】
【図１】写真シール自動作成機の外観を示す正面右上から見た斜視図。
【図２】写真シール自動作成機の内部を示す部分拡大図（一部断面図）。
【図３】シール紙の断面を示す説明図。
【図４】写真シール自動作成機の制御回路を示すブロック図。
【図５】写真シールシートのイメージを示す平面図。
【図６】写真シール自動作成機の動作を示す処理フロー図。
【図７】写真シールとアイテムシールの利用形態を説明する説明図。
【図８】他の実施形態の印刷状況を説明する説明図。
【符号の説明】
１…写真シール自動作成機
１２…デジタルカメラ
１５…入力装置
１７…ＩＤタグリーダ／ライタ
１８…プリンタ
１８ｃ…熱ヘッド
３０…シール紙ユニット
３１…ＩＤタグ
３２…シール紙
３２ａ…印刷可能シール層
３２ｃ…印刷済シール層
３２ｇ…発色可能シール層
【図１】
2004093997.tif 000003
【図２】
2004093997.tif 000004
【図３】
2004093997.tif 000005
【図４】
2004093997.tif 000006
【図５】
2004093997.tif 000007
【図６】
2004093997.tif 000008
【図７】
2004093997.tif 000009
【図８】
2004093997.tif 000010